(57)【要約】【課題】操作性が統一され，コンテンツ間の関係を一意に管理するコンテンツ管理システムを提供する。【解決手段】知識構造メタデータ１７とナビゲーションデータ１６とを含み，知識構造メタデータ１７は，１以上のトピック，及び１以上のアソシエーションを含み，ナビゲーションデータ１６は，１以上のナビゲーションを含み，トピックは，１つの識別子，１以上の名前，及び１以上のコンテンツデータへのリンクの各データを含み，アソシエーションは，１つの識別子，１以上の名前，及び対応した２以上のトピック識別子及びトピック役割の各データを含み，ナビゲーションは，１つの識別子，１以上の名前，出発点となる１以上のトピック識別子，及び到達点となる１以上のトピック識別子の各データを含み，コンテンツデータ，知識構造メタデータ，及びナビゲーションデータを独立して管理するコンテンツ管理システム。【選択図】  図１
2004199441.tif 000002
【特許請求の範囲】
【請求項１】
知識構造メタデータとナビゲーションデータとを含むコンテンツ管理システムであって，
前記知識構造メタデータは，１以上のトピック，及び１以上のアソシエーションを含み，
前記ナビゲーションデータは，１以上のナビゲーションを含み，
前記トピックは，１つの識別子，１以上の名前，及び１以上のコンテンツデータへのリンクの各データを含み，
前記アソシエーションは，１つの識別子，１以上の名前，及び対応した２以上のトピック識別子及びトピック役割の各データを含み，
前記ナビゲーションは，１つの識別子，１以上の名前，出発点となる１以上のトピック識別子，及び到達点となる１以上のトピック識別子の各データを含み，
前記コンテンツデータ，前記知識構造メタデータ，及び前記ナビゲーションデータを独立して管理することを特徴とする，コンテンツ管理システム。
【請求項２】
前記トピックのコンテンツデータへのリンクで指定されたコンテンツデータを読み出す際に，
前記コンテンツデータとともに，前記トピックから出発するすべてのナビゲーションの名前，及びそのナビゲーションの識別子と同じ識別子で接続されているすべてのトピックの名前を読み出し，
前記トピックにアソシエーションで接続されているすべてのトピックの名前を読み出すことを特徴とする，請求項１に記載のコンテンツ管理システム。
【請求項３】
さらに，表示情報生成手段を含み，
前記表示情報生成手段は，前記トピックのコンテンツデータへのリンクで指定された前記コンテンツデータを表示するとともに，
前記トピックから出発するすべてのナビゲーションの名前，及びそのナビゲーションの識別子と同じ識別子で接続されているすべてのトピックの名前のリストを表示し，前記トピックにアソシエーションで接続されているすべてのトピックの名前を表示することを特徴とする，請求項１または２のうちのいずれか１項に記載のコンテンツ管理システム。
【請求項４】
知識構造メタデータとナビゲーションデータとを記憶するコンテンツ管理サーバであって，
前記知識構造メタデータは，１以上のトピック，及び１以上のアソシエーションを含み，
前記ナビゲーションデータは，１以上のナビゲーションを含み，
前記トピックは，１つの識別子，１以上の名前，及び１以上のコンテンツデータへのリンクの各データを含み，
前記アソシエーションは，１つの識別子，１以上の名前，及び対応した２以上のトピック識別子及びトピック役割の各データを含み，
前記ナビゲーションは，１つの識別子，１以上の名前，出発点となる１以上のトピック識別子，及び到達点となる１以上のトピック識別子の各データを含み，
前記コンテンツデータ，前記知識構造メタデータ，及び前記ナビゲーションデータを独立して管理することを特徴とする，コンテンツ管理サーバ。
【請求項５】
前記トピックのコンテンツデータへのリンクで指定されたコンテンツデータを読み出す際に，
前記コンテンツデータとともに，前記トピックから出発するすべてのナビゲーションの名前，及びそのナビゲーションの識別子と同じ識別子で接続されているすべてのトピックの名前を読み出し，
前記トピックにアソシエーションで接続されているすべてのトピックの名前を読み出すことを特徴とする，請求項４に記載のコンテンツ管理サーバ。
【請求項６】
さらに，表示情報生成手段を記憶し，
前記表示情報生成手段は，前記トピックのコンテンツデータへのリンクで指定された前記コンテンツデータを表示するとともに，
前記トピックから出発するすべてのナビゲーションの名前，及びそのナビゲーションの識別子と同じ識別子で接続されているすべてのトピックの名前のリストを表示し，前記トピックにアソシエーションで接続されているすべてのトピックの名前を表示することを特徴とする，請求項４または５のうちのいずれか１項に記載のコンテンツ管理サーバ。
【請求項７】
知識構造メタデータとナビゲーションデータとを用いたコンテンツ管理方法であって，
前記知識構造メタデータは，１以上のトピック，及び１以上のアソシエーションを含み，
前記ナビゲーションデータは，１以上のナビゲーションを含み，
前記トピックは，１つの識別子，１以上の名前，及び１以上のコンテンツデータへのリンクの各データを含み，
前記アソシエーションは，１つの識別子，１以上の名前，及び対応した２以上のトピック識別子及びトピック役割の各データを含み，
前記ナビゲーションは，１つの識別子，１以上の名前，出発点となる１以上のトピック識別子，及び到達点となる１以上のトピック識別子の各データを含み，
前記コンテンツデータ，前記知識構造メタデータ，及び前記ナビゲーションデータを独立して管理することを特徴とする，コンテンツ管理方法。
【請求項８】
前記トピックのコンテンツデータへのリンクで指定されたコンテンツデータを読み出す際に，
前記コンテンツデータとともに，前記トピックから出発するすべてのナビゲーションの名前，及びそのナビゲーションの識別子と同じ識別子で接続されているすべてのトピックの名前を読み出し，
前記トピックにアソシエーションで接続されているすべてのトピックの名前を読み出すことを特徴とする，請求項７に記載のコンテンツ管理方法。
【請求項９】
さらに，表示情報生成手段を含み，
前記表示情報生成手段は，前記トピックのコンテンツデータへのリンクで指定された前記コンテンツデータを表示するとともに，
前記トピックから出発するすべてのナビゲーションの名前，及びそのナビゲーションの識別子と同じ識別子で接続されているすべてのトピックの名前のリストを表示し，前記トピックにアソシエーションで接続されているすべてのトピックの名前を表示することを特徴とする，請求項７または８のうちのいずれか１項に記載のコンテンツ管理方法。
【発明の詳細な説明】
【０００１】
【発明の属する技術分野】
この発明は，ネットワークを利用して利用者にコンテンツを提供するためのコンテンツ管理システム，コンテンツ管理サーバ，及びコンテンツ管理方法に関する。
【０００２】
【従来の技術】
従来のコンテンツ管理システム及びそのデータ記述方法は，特許文献１（特開２０００年第２９９０８号公報「ツアーを動的にカストマイズする方法」）の図４，図５，及び，段落番号００３６，００３７に開示されている。この文献が示すように，従来のコンテンツ管理システムは，２つ以上のオブジェクト（Ｗｅｂコンテンツ等）を接続した有向グラフ（特許文献１では「ツアー」と記述されている）をツアーデータベース上で管理し，有向グラフで指定されたオブジェクトを連結し，あるいは同時に表示するというものであった。また，特許文献１の図１１及び段落番号００４５に開示されるように，Ｗｅｂコンテンツ上のハイパーリンクをクリックすることによりツアーを休止し，迂回が開始されるというものであった。
【０００３】
【特許文献１】
特開２０００‐２９９０８号公報（図４，図５，図１１，段落番号００３６，００３７，００４５）
【０００４】
【発明が解決しようとする課題】
しかしながら上記従来のシステムでは，１つのＷｅｂコンテンツから，履歴以外の他のＷｅｂコンテンツへ移動するには，（１）ツアーと，（２）ハイパーリンクの，異なる操作方法のいずれかを選択しなければならず，操作性が統一していないという問題点があつた。
【０００５】
また，上記従来のシステムのデータ記述方法では，コンテンツの移動は（１）ツアーではツアーデータベース，（２）ハイパーリンクではコンテンツにそれぞれ記述される。即ち，コンテンツの移動は，（１）と（２）へ独立に記述しなければならない。従って，Ｗｅｂコンテンツの内容に変更があった場合や，アドレスに変更があった場合などでは，そのＷｅｂコンテンツに関連するツアーをすべて修正しなければなず，データ更新，修正，編集等にコスト（手間）が生じるという問題点があった。
【０００６】
そこで本発明は，操作性が統一されて使い勝手よくコンテンツナビゲーションをおこなうことができ，また，コンテンツ間の関係を一意に管理することにより，管理・編集が容易であるコンテンツ管理システム，コンテンツ管理サーバ，及びコンテンツ管理方法を提供することを目的とする。
【０００７】
【課題を解決するための手段】
上記目的を達成するための本発明のコンテンツ管理システムは，知識構造メタデータとナビゲーションデータとを含むコンテンツ管理システムである。そして，知識構造メタデータは，１以上のトピック，及び１以上のアソシエーションを含み，ナビゲーションデータは，１以上のナビゲーションを含んでいる。
【０００８】
そしてトピックは，１つの識別子，１以上の名前，及び１以上のコンテンツデータへのリンクの各データを含み，アソシエーションは，１つの識別子，１以上の名前，及び対応した２以上のトピック識別子及びトピック役割の各データを含み，ナビゲーションは，１つの識別子，１以上の名前，出発点となる１以上のトピック識別子，及び到達点となる１以上のトピック識別子の各データを含んでいる。
【０００９】
本発明のコンテンツ管理システムはこのような構成で，コンテンツデータ，知識構造メタデータ，及びナビゲーションデータを，独立して管理することを特徴とする。このような構成により，操作性が統一されて使い勝手よくコンテンツナビゲーションをおこなうことができ，また，コンテンツ間の関係を一意に管理することにより，管理・編集が容易になる。
【００１０】
【発明の実施の形態】
以下に，本発明の実施の形態を，図面を用いて説明する。なお，本明細書及び図面において，実質的に同一の機能構成を有する構成要素については，同一の符号を付することにより重複説明を省略する。
【００１１】
図１は，この発明の実施の形態を示す概略図である。図１に示すように，コンテンツ管理サーバ１と，１つ以上のクライアント端末３が，ネットワーク２を介して接続されている。また，各クライアント端末３は，それぞれブラウザ５を有している。
【００１２】
本実施の形態を，店舗における商品説明支援システムの場合に例えれば，コンテンツ管理サーバ１は高性能パソコンサーバ，ネットワーク２はイントラネット，クライアント端末３は店舗に設置されて顧客が見ることができるパソコン，ブラウザ５はＭｉｃｒｏｓｏｆｔ社製Ｉｎｔｅｒｎｅｔ  Ｅｘｐｌｏｒｅｒ等である。
【００１３】
コンテンツ管理サーバ１は，通信手段１１，表示情報生成手段１２，メタデータ管理手段１４，及びコンテンツ管理手段１５を有している。そして，通信手段１１と表示情報生成手段１２とが接続され，また，表示情報生成手段１２とメタデータ管理手段１４と，コンテンツ管理手段１５とが接続されている。これらの各手段は，コンテンツ管理サーバ１の記憶装置（図示せず）上に格納されたソフトウェアプログラムであってもよい。
【００１４】
コンテンツ管理サーバ１はさらに，個別ナビゲーションデータ１６ａ，共有ナビゲーションデータ１６ｂ，知識構造メタデータ１７，コンテンツデータ１８を有している。そして，メタデータ管理手段１４と個別ナビゲーションデータ１６ａ，共有ナビゲーションデータ１６ｂ，知識構造メタデータ１７とが接続され，また，コンテンツ管理手段１５とコンテンツデータ１８とが接続されている。
【００１５】
図１では，これらの各データはコンテンツ管理サーバ１の記憶装置上に格納されたデータとして示したが，これらの全てまたは一部を外部データベース装置上に格納してもよい。
【００１６】
図２は，本実施の形態の知識構造メタデータ１７の内容を示す構成図である。図中，四角で示した各トピック２１の間を，楕円で示したアソシエーション２２で双方向接続していることを示している。また，各トピック２１は，「ｘ．ｐｒｏｄｕｃｔ．ｈｔｍ」，「ｘ．ｆｅａｔｕｒｅ．ｈｔｍ」などのコンテンツデータ１８へのリンクを有している。
【００１７】
例えば，「ｘ．ｐｒｏｄｕｃｔ」というトピックは，「ｘ．ｆｅａｔｕｒｅ」，「ｘ．ｔｅｒｍｉｎａｌ」，「ｘ．ｐｒｉｃｅ」，「・・・」という各トピックに，「ｐｒｏｄｕｃｔ＿ｉｔｅｍｓ」というアソシエーションで接続されている。また，「ｎｅｅｄｓ．ａａａ」というトピックは，「ｎｅｅｄｓ」というトピックに，「ｎｅｅｄｓ＿ｓｕｂｎｅｅｄｓ」というアソシエーションで接続され，「ｘ．ｆｅａｔｕｒｅ．ｘｘｘ」というトピックに，「ｎｅｅｄｓ＿ｆｅａｔｕｒｅ」というアソシエーションで接続されている。また，「Ｓｔａｒｔ」というトピックは，コンテンツ全体の開始点となる特別なトピックである。
【００１８】
すなわち，知識構造メタデータ１７は，各トピックの関係を単なる木（ツリー）構造ではなく，網構造で記述できることを意味している。
【００１９】
図３（ａ）は，トピック２１及びアソシエーション２２のデータ構造を示す構成図である。トピック２１は，識別子２１１，名前２１２，コンテンツデータへのリンク２１３を有しており，アソシエーション２２は，識別子２２１，名前２２２，及び接続する複数のトピック識別子２２３，各トピックの役割２２４を有している。
【００２０】
「ｘ．ｆｅａｔｕｒｅ」というトピック及び「ｐｒｏｄｕｃｔ＿ｉｔｅｍｓ」というアソシエーションの例を，図３（ｂ）に示す。トピック２１は，「ｘ．ｆｅａｔｕｒｅ」という識別子２１１，「特徴」という名前２１２，「ｈｔｔｐ：／／．．．ｘ．ｆｅａｔｕｒｅ．ｈｔｍ」というコンテンツデータへのリンク２１３を有している。また，アソシエーション２２は，「ｐｒｏｄｕｃｔ＿ｉｔｅｍｓ」という識別子２２１，「商品と要素」という名前２２２，及び接続する「ｘ．ｐｒｏｄｕｃｔ」，「ｘ．ｆｅａｔｕｒｅ」，「・・・」の複数のトピック識別子２２３，「ｐｒｏｄｕｃｔ」，「ｉｔｅｍｓ」，「・・・」の各トピックの役割２２４を有している。
【００２１】
図４は，図１の個別ナビゲーションデータ１６ａ，あるいは図１の共有ナビゲーションデータ１６ｂの内容を示す説明図である。図２に示した各トピック間を，有向グラフであるナビゲーション２３で接続していることを示している。個別ナビゲーションデータ１６ａは，クライアント端末３の利用者ごとに保持するものであり，共有ナビゲーションデータ１６ｂは，利用者で共有して利用するものである。
【００２２】
例えば，「ｎａｖｉｇａｔｉｏｎ０」というナビゲーションは，図４に示すように，「Ｓｔａｒｔ」→「ｘ．ｐｒｏｄｕｃｔ」→「ｘ．ｆｅａｔｕｒｅ」→「ｘ．ｔｅｒｍｉｎａｌ」→「ｘ．ｐｒｉｃｅ」→「・・・」というフローを示している。また，「ｎａｖｉｇａｔｉｏｎ１」というナビゲーションは，「ｎｅｅｄｓ．ａａａ」→「ｘ．ｆｅａｔｕｒｅ．ｘｘｘ」→「ｘ．ｆｅａｔｕｒｅ」というフローを示している。
【００２３】
すなわち，同じトピックに対して知識構造メタデータとナビゲーションデータとが，独立に存在することを意味している。
【００２４】
ナビゲーション２３のデータ構造は，図３（ａ）に示すように，識別子２３１，名前２３２，接続するトピック識別子２３３，各トピックの役割２３４を有している。図３（ｂ）は，「ｎａｖｉａｔｉｏｎ０」というナビゲーションの例を示している。図３（ｂ）に示すように，ナビゲーション２３は，「ｎａｖｉａｔｉｏｎ０」という識別子２３１，「商品概要説明」という名前２３２，接続する「ｘ．ｐｒｏｄｕｃｔ」，「ｘ．ｆｅａｔｕｒｅ」，「・・・」のトピック識別子２３３，「ｆｒｏｍ」，「ｔｏ」，「・・・」の各トピックの役割２３４を有している。
【００２５】
図５は，ＴｏｐｉｃＭａｐｓ．Ｏｒｇが標準化しているＸＴＭ（ＸＭＬ  Ｔｏｐｉｃ  Ｍａｐｓ）１．０で記述した知識構造メタデータ１７の構成を示す記述例である。知識構造メタデータ１７は，１以上のトピックの定義５２，及び１以上のアソシエーションの定義５３から構成される。
【００２６】
図５に示すように，トピックの識別子２１１は，＜ｔｏｐｉｃ＞タグのｉｄに記述され，名前は＜ｂａｓｅＮａｍｅ＞タグに記述されている。コンテンツデータへのリンク２１３は，このトピックは有していない。
【００２７】
アソシエーションの識別子２２１は，＜ａｓｓｏｃｉａｔｉｏｎ＞のｉｄに記述され，接続するトピック識別子２２３は，＜ｍｅｍｂｅｒ＞タグの＜ｔｏｐｉｃＲｅｆ＞タグに記述され，トピックの役割２２４は，＜ｍｅｍｂｅｒ＞タグの＜ｒｏｌｅＳｐｅｃ＞タグに記述されている。この場合，アソシエーションの名前２２２はアソシエーンョンの定義５３に含まれず，＜ｉｎｓｔａｎｃｅＯｆ＞タグにアソシエーションのタイプが記述され，アソシエーションタイプの記述（図では省略）に記述されている。
【００２８】
図６は，ＸＴＭ１．０で記述したナビゲーションデータ１６ａ，１６ｂであり，複数のナビゲーションの定義６２から構成されている。図７は，本実施の形態のシステムの動作フローを示す図である。図８は，ブラウザ５で表示される画面の例であって，コンテンツＷｉｎｄｏｗ８１，説明ルートＷｉｎｄｏｗ８２，検索Ｗｉｎｄｏｗ８３，関連項目Ｗｉｎｄｏｗ８４から構成される。
【００２９】
図６，図７，図８により，本実施の形態のシステムの動作フローを説明する。まず，クライアント端末３からコンテンツ管理サーバ１にアクセスすると，通信手段１１を介して表示情報生成手段１２に通知される。その後，表示情報生成手段１２は，メタデータ管理手段１４に，「Ｓｔａｒｔ」というトピック２１のデータを要求する。
【００３０】
そして，メタデータ管理手段１４は，データベース内の知識構造メタデータ１７から識別子２１１が「Ｓｔａｒｔ」であるトピック２１を検索し，そのデータを表示情報生成手段１２に返す。以下，メタデータ管理手段１４が指定されたトピック２１を検索して返す処理については，説明を省略する。
【００３１】
表示情報生成手段１２は，受け取ったトピック２１のコンテンツデータへのリンク２１３で指定されたコンテンツデータ１８を，コンテンツ管理手段１５に要求する。コンテンツ管理手段１５は，データベース内から該当するコンテンツデータ１８を検索し，表示情報生成手段１２に返す。以下，コンテンツ管理手段１５が指定されたコンテンツデータ１８を検索して返す処理については，説明を省略する。
【００３２】
表示情報生成手段１２は，Ｓ１００で，受け取ったコンテンツデータ１８をコンテンツＷｉｎｄｏｗ８１に表示するよう，通信手段１１を介してクライアント端末３に送り，クライアント端末３のブラウザ５がコンテンツＷｉｎｄｏｗ８１に表示する（Ｓ１００）。
【００３３】
次に，表示情報生成手段１２は，メタデータ管理手段１４に「Ｓｔａｒｔ」トピックから出発するナビゲーション２３のデータを要求する。そして，メタデータ管理手段１４は，データベース内の知識構造メタデータ１７からトピック識別子２３３が「Ｓｔａｒｔ」，トピック役割２３４が「ｆｒｏｍ」というナビゲーション２３を検索し，そのデータを表示情報生成手段１２に返す。以下，メタデータ管理手段１４が指定されたナビゲーション２３を検索して返す処理については，説明を省略する。
【００３４】
表示情報生成手段１２は，受け取ったすべてのナビゲーションについて以下の処理をおこなう。
【００３５】
受け取ったナビゲーションのトピック役割２３４が「ｔｏ」であるすべてのトピック識別子２３３のトピックについて，メタデータ管理手段１４にデータを要求し，受け取ったすべてのトピック２１の名前２１２を一時記憶する。
【００３６】
識別子２３１が，受け取ったナビゲーション２３の識別子２３１であり，トピック識別子２３３が，受け取ったトピック２１の識別子２１１であり，そのトピック識別子２３３に対応するトピック役割２３４が「ｆｒｏｍ」であるすべてのナビゲーション２３について，メタデータ管理手段１４にデータを要求する。そして，受け取ったすべてのナビゲーション２３のトピック役割２３４が「ｔｏ」であるすべてのトピック識別子２３３のトピックについて，メタデータ管理手段１４にデータを要求し，受け取ったすべてのトピック２１の名前を一時記憶する。
【００３７】
以上の動作を繰り返し，ナビゲーション２３の識別子２３１ごとに同じ識別子２３１で接続されているトピック２１の名前２１２を順に抽出し，リストとして一時記憶する。その後，表示情報生成手段１２は，ナビゲーション２３の名前２３２，及びそのナビゲーション２３の識別子２３１で接続されているすべてのトピック２１の名前２１２のリストを説明ルートＷｉｎｄｏｗ８２に表示するよう，通信手段１１を介してクライアント端末３に送り，Ｓ１０１で，クライアント端末３のブラウザ５が説明ルートＷｉｎｄｏｗ８２に表示する（Ｓ１０１）。
【００３８】
図９は，クライアント端末３のブラウザ５が，説明ルートＷｉｎｄｏｗ８２に表示する画面の一例である。ここで，利用者の入力待ち状態となる。
【００３９】
利用者が，説明ルートＷｉｎｄｏｗ８２に表示されているナビゲーション２３，あるいはトピック２１のいずれかを選択すると，クライアント端末３のブラウザ５が選択した内容をコンテンツ管理サーバ１に送り，Ｓ１０２で，コンテンツ管理サーバ１は通信手段１１を介して，表示情報生成手段１２に通知する（Ｓ１０２）。
【００４０】
表示情報生成手段１２は，利用者の選択がナビゲーション２３の場合は，選択されたナビゲーション２３の最初のトピック２１について，利用者の選択がトピック２１の場合は選択されたトピック２１について，メタデータ管理手段１４にデータを要求する。また，受け取ったトピック２１のコンテンツへのリンク２１３で指定されたコンテンツデータ１８をコンテンツ管理手段１５に要求する。そして，受け取ったコンテンツデータ１８をコンテンツＷｉｎｄｏｗ８１に表示するよう，通信手段１１を介してクライアント端末３に送り，Ｓ１０３で，クライアント端末３のブラウザ５がそれを表示する（Ｓ１０３）。
【００４１】
また，表示情報生成手段１２は，選択されたナビゲーション２３の最初のトピック２１の名前２１３を説明ルートＷｉｎｄｏｗ８２にハイライト表示するよう，通信手段１１を介してクライアント端末３に送り，Ｓ１０４で，クライアント端末３のブラウザ５がそれを表示する（Ｓ１０４）。
【００４２】
次に，表示情報生成手段１２は，コンテンツデータ１８を表示したトピック２１に関連するすべてのアソシエーション２２について，メタデータ管理手段１４にデータを要求する。また，受け取ったアソシエーション２２のトピック識別子２２３のトピックについて，メタデータ管理手段１４にデータを要求する。そして，受け取ったトピック２１の名前２１２を関連項目Ｗｉｎｄｏｗ８４に表示するよう，通信手段１１を介してクライアント端末３に送り，Ｓ１０６で，クライアント端末３のブラウザ５がそれを表示する（Ｓ１０５，Ｓ１０６）。ここで，再び利用者の入力待ち状態となる。
【００４３】
利用者が説明ルートＷｉｎｄｏｗ８２に表示されているナビゲーション２３，あるいはトピック２１のいずれか，あるいは関連項目Ｗｉｎｄｏｗ８４に表示されているトピック２１のいずれかを選択すると，クライアント端末３のブラウザ５が選択した内容をコンテンツ管理サーバ１に送り，コンテンツ管理サーバ１は通信手段１１を介して，Ｓ１０７で，表示情報生成手段１２に通知する（Ｓ１０７）。
【００４４】
利用者の選択が説明ルートＷｉｎｄｏｗ８２に表示されているナビゲーション２３，あるいはトピック２１の場合は，図７のＳ１０３〜Ｓ１０６で説明した処理をおこなう。
【００４５】
利用者の選択が関連項目Ｗｉｎｄｏｗ８４に表示されているトピック２１の場合は，表示情報生成手段１２は，メタデータ管理手段１４に選択されたトピックから出発するナビゲーション２３のデータを要求する。そして，Ｓ１０１で説明したように，そのナビゲーション２３の識別子２３１と同じ識別子２３１で接続されているトピック２１の名前２１２を順に抽出し，リストとして一時記憶する。そして，ナビゲーション２３の名前２３２，及びそのナビゲーション２３の識別子２３１で接続されているすべてのトピック２１の名前２１２のリストを説明ルートＷｉｎｄｏｗ８２に表示するよう，通信手段１１を介してクライアント端末３に送り，Ｓ１１０で，クライアント端末３のブラウザ５が説明ルートＷｉｎｄｏｗ８２に表示する（Ｓ１１０）。
【００４６】
その後，図７のＳ１０４〜Ｓ１０６で説明した処理をおこなう。すると再び利用者の入力待ち状態となり，以降は同様の処理を繰り返す。図１０は，このときクライアント端末３のブラウザ５が，説明ルートＷｉｎｄｏｗ８２に表示する画面の一例である。
【００４７】
以上示したように，本実施の形態によれば，コンテンツ管理サーバ１内に表示情報生成手段１２，メタデータ管理手段１４，コンテンツ管理手段１５，ナビゲーションデータ１６，知識構造メタデータ１７，コンテンツデータ１８を有する。また，知識構造メタデータ１７は，識別子２１１，名前２１２，コンテンツデータへのリンク２１３の各データから構成されるトピック２１，及び識別子２２１，名前２２２，対応した２以上のトピック識別子２２３，及びトピック役割２２４の各データから構成されるアソシエーション２２を含む。
【００４８】
また，ナビゲーンョンデータ１６は，識別子２３１，名前２３２，対応した２以上のトピック識別子２３３及びトピック役割２３４の各データから構成されるナビゲーション２３を含む。
【００４９】
また，表示情報生成手段１２は，トピック２１のコンテンツデータへのリンク２１３で指定されたコンテンツデータ１８を表示するとともに，そのトピック２１から出発するすべてのナビゲーンョン２３の名前２３２，及びそのナビゲーション２３の識別子２３１と同じ識別子２３１で接続されているすべてのトピック２１の名前２１２のリストを表示する。また，そのトピック２１にアソシエーション２２で接続されているすべてのトピック２１の名前２１２を表示する。このような構成，手順により，操作性の統一された使い勝手のよいコンテンツナビゲーションをおこなうことができるという効果が得られる。
【００５０】
また，コンテンツ間の関係をメタデータとして一意に管理することにより，管理・編集が容易であるという効果が得られる。
【００５１】
以上，添付図面を参照しながら本発明のコンテンツ管理システム，コンテンツ管理サーバ，及びコンテンツ管理方法の好適な実施の形態について説明したが，本発明はこれらの例に限定されない。いわゆる当業者であれば，特許請求の範囲に記載された技術的思想の範疇内において各種の変更例または修正例に想到し得ることは明らかであり，それらについても当然に本発明の技術的範囲に属するものと了解される。
【００５２】
【発明の効果】
本発明により，操作性が統一されて使い勝手よくコンテンツナビゲーションをおこなうことができ，また，コンテンツ間の関係を一意に管理することにより，管理・編集が容易であるコンテンツ管理システム，コンテンツ管理サーバ，及びコンテンツ管理方法が提供できた。
【図面の簡単な説明】
【図１】図１は，本実施の形態を示す概略図である。
【図２】図２は，本実施の形態の知識構造メタデータの内容を示す構成図である。
【図３】図３（ａ）は，トピック及びアソシエーションのデータ構造を示す構成図であり，ず３（ｂ）はその一例を示す構成図である。
【図４】図４は，図１の個別ナビゲーションデータ，あるいは図１の共有ナビゲーションデータの内容を示す説明図である。
【図５】図５は，ＸＴＭ１．０で記述した知識構造メタデータの構成を示す記述例である。
【図６】図６は，ＸＴＭ１．０で記述したナビゲーションデータの構成を示す記述例である。
【図７】図７は，本実施の形態のシステムの動作フローを示すフロー図である。
【図８】図８は，ブラウザで表示される画面の一例である。
【図９】図９は，ブラウザで表示される画面の一例である。
【図１０】図１０は，ブラウザで表示される画面の一例である。
【符号の説明】
１    コンテンツ管理サーバ
２    ネットワーク
３    クライアント端末
５    ブラウザ
１１    通信手段
１２    表示情報生成手段
１４    メタデータ管理手段
１５    コンテンツ管理手段
１６ａ  個別ナビゲーションデータ
１６ｂ  共有ナビゲーションデータ
１７    知識構造メタデータ
１８    コンテンツデータ
２１    トピック
２２    アソシエーション
２３  ナビゲーション
５２    トピックの定義
５３    アソシエーションの定義
８１    コンテンツＷｉｎｄｏｗ
８２    説明ルートＷｉｎｄｏｗ
８３    検索Ｗｉｎｄｏｗ
８４    関連項目Ｗｉｎｄｏｗ
２１１    識別子
２１２    名前
２１３    コンテンツデータへのリンク
２２３    トピック識別子
２２４    トピックの役割
【図１】
2004199441.tif 000003
【図２】
2004199441.tif 000004
【図３】
2004199441.tif 000005
【図４】
2004199441.tif 000006
【図５】
2004199441.tif 000007
【図６】
2004199441.tif 000008
【図７】
2004199441.tif 000009
【図８】
2004199441.tif 000010
【図９】
2004199441.tif 000011
【図１０】
2004199441.tif 000012